(57)【要約】【課題】発光部を発光させることができない事態を回避することのできる表示装置を提供すること。【解決手段】表示装置１に、光エネルギーを電力に変換する太陽電池２５と、太陽電池２５で変換した電力を蓄える蓄電部２６と、乾電池６８を収容すると共に収容した乾電池６８を覆う部分の少なくとも一部が透明な部材により形成される電池収容部６０と、蓄電部２６から供給される電力または電池収容部６０に収容された乾電池６８から供給される電力によって発光する発光部６と、発光部６に供給する電力の電源を、蓄電部２６の電圧に基づいて蓄電部２６と乾電池６８とのいずれかに切り替える電源切替部７２と、を備える。【選択図】図１０
2019027058.tif 000002
【特許請求の範囲】
【請求項１】
光エネルギーを電力に変換する太陽電池と、
前記太陽電池で変換した電力を蓄える蓄電部と、
電池を収容すると共に収容した前記電池を覆う部分の少なくとも一部が透明な部材により形成される電池収容部と、
前記蓄電部から供給される電力または前記電池収容部に収容された前記電池から供給される電力によって発光する発光部と、
前記発光部に供給する電力の電源を、前記蓄電部の電圧に基づいて前記蓄電部と前記電池とのいずれかに切り替える電源切替部と、
を備えることを特徴とする表示装置。
【請求項２】
前記発光部に供給する電力の電源が、前記蓄電部に切り替えられているか前記電池に切り替えられているかを表示する電源表示部を備える請求項１に記載の表示装置。
【請求項３】
前記電源表示部は、前記発光部に供給する電力の電源が前記蓄電部に切り替えられている場合と前記電池に切り替えられている場合とで異なる色で発光する請求項２に記載の表示装置。
【請求項４】
前記電源切替部は、前記蓄電部の電圧が所定の閾値以上である場合は、前記発光部に供給する電力の電源を前記蓄電部に切り替え、前記蓄電部の電圧が所定の閾値より低い場合は、前記発光部に供給する電力の電源を前記電池に切り替える請求項１〜３のいずれか１項に記載の表示装置。
【請求項５】
前記発光部に供給される電力の電流を調節する電流制御部を備え、
前記電流制御部は、前記蓄電部の電圧が、前記蓄電部の電圧に対して設定された所定の閾値より低く、且つ、前記電池の電圧が、前記電池の電圧に対して設定された所定の閾値より低い場合は、前記蓄電部の電圧と前記電池の電圧との少なくともいずれか一方が、それぞれに対して設定された閾値以上である場合と比較して、前記発光部に供給される電力の電流を低減する請求項１〜４のいずれか１項に記載の表示装置。
【請求項６】
前記蓄電部の電圧が所定値以上であるか否かを表示する蓄電状態表示部を備える請求項１〜５のいずれか１項に記載の表示装置。
【請求項７】
外部電源から供給される電力を前記蓄電部に供給して前記蓄電部の充電を行う充電部を備える請求項１〜６のいずれか１項に記載の表示装置。
【発明の詳細な説明】
【技術分野】
【０００１】
本発明は、表示装置に関する。
【背景技術】
【０００２】
車両が走行をする道路上で工事を行う場合、工事を行う作業者の安全性の確保や、走行する車両の安全性を確保するために、歩行者や車両の運転者に対して工事箇所を示す必要がある。このように工事箇所を示すための手段としては、発光体を用いた工事灯や表示装置が知られている。
【０００３】
例えば、特許文献１に記載された工事灯は、発光体を発光させるための電源として、太陽電池によって光エネルギーから変換された電力を蓄える充電部と、乾電池とを備え、充電部の電圧が所定以上の時は充電部から供給される電力により発光体を発光させ、充電部の電圧が所定値より低いときは乾電池から供給される電力により発光体を点灯させるものになっている。これにより、特許文献１に記載された工事灯は、日照が少ない場所で充電部の充電量が不足して発光体が発光できなくなるという問題を解消し、また、乾電池の消耗が早くなって乾電池の交換にかかる手間が増えるという問題も解消することができる。
【先行技術文献】
【特許文献】
【０００４】
【特許文献１】特開２０１７−４００９７号公報
【発明の概要】
【発明が解決しようとする課題】
【０００５】
しかしながら、特許文献１に記載された工事灯のように、太陽電池によって光エネルギーから変換された電力と、乾電池から供給される電力とを併用して発光部を発光させる場合、乾電池を乾電池収容部に入れ忘れた状態でも、充電部の電圧が所定値以上である場合は、発光部は発光することになる。この場合、充電部の電圧が所定値より低くなった際に、発光部を発光させることができなくなるため、発光部を発光させる必要があるときに発光させることができなくなる虞がある。このように、太陽電池によって光エネルギーから変換された電力と、乾電池から供給される電力とを併用して発光部を発光させる場合、発光部を発光させることのできる時間は長くなるものの、いざという時に発光部を発光させることができなくなる虞があった。
【０００６】
本発明は、上記に鑑みてなされたものであって、発光部を発光させることができない事態を回避することのできる表示装置を提供することを目的とする。
【課題を解決するための手段】
【０００７】
上述した課題を解決し、目的を達成するために、本発明に係る表示装置は、光エネルギーを電力に変換する太陽電池と、前記太陽電池で変換した電力を蓄える蓄電部と、電池を収容すると共に収容した前記電池を覆う部分の少なくとも一部が透明な部材により形成される電池収容部と、前記蓄電部から供給される電力または前記電池収容部に収容された前記電池から供給される電力によって発光する発光部と、前記発光部に供給する電力の電源を、前記蓄電部の電圧に基づいて前記蓄電部と前記電池とのいずれかに切り替える電源切替部と、を備えることを特徴とする。
【０００８】
また、上記表示装置において、前記発光部に供給する電力の電源が、前記蓄電部に切り替えられているか前記電池に切り替えられているかを表示する電源表示部を備えることが好ましい。
【０００９】
また、上記表示装置において、前記電源表示部は、前記発光部に供給する電力の電源が前記蓄電部に切り替えられている場合と前記電池に切り替えられている場合とで異なる色で発光することが好ましい。
【００１０】
また、上記表示装置において、前記電源切替部は、前記蓄電部の電圧が所定の閾値以上である場合は、前記発光部に供給する電力の電源を前記蓄電部に切り替え、前記蓄電部の電圧が所定の閾値より低い場合は、前記発光部に供給する電力の電源を前記電池に切り替えることが好ましい。
【００１１】
また、上記表示装置において、前記発光部に供給される電力の電流を調節する電流制御部を備え、前記電流制御部は、前記蓄電部の電圧が、前記蓄電部の電圧に対して設定された所定の閾値より低く、且つ、前記電池の電圧が、前記電池の電圧に対して設定された所定の閾値より低い場合は、前記蓄電部の電圧と前記電池の電圧との少なくともいずれか一方が、それぞれに対して設定された閾値以上である場合と比較して、前記発光部に供給される電力の電流を低減することが好ましい。
【００１２】
また、上記表示装置において、前記蓄電部の電圧が所定値以上であるか否かを表示する蓄電状態表示部を備えることが好ましい。
【００１３】
また、上記表示装置において、外部電源から供給される電力を前記蓄電部に供給して前記蓄電部の充電を行う充電部を備えることが好ましい。
【発明の効果】
【００１４】
本発明に係る表示装置は、発光部を発光させることができない事態を回避することができる、という効果を奏する。
【図面の簡単な説明】
【００１５】
【図１】図１は、実施形態に係る表示装置の正面図である。
【図２】図２は、図１のＡ−Ａ矢視図である。
【図３】図３は、図１のＢ−Ｂ矢視図である。
【図４】図４は、図３のＣ−Ｃ矢視図である。
【図５】図５は、図４に示すソーラーユニットの斜視図である。
【図６】図６は、図５に示すソーラーユニットの透視図である。
【図７】図７は、図５に示すソーラーユニットを、透明カバー側の反対側から見た状態の斜視図である。
【図８】図８は、図５に示す電池ユニットの正面図である。
【図９】図９は、図８に示す電池収容部の斜視図である。
【図１０】図１０は、実施形態に係る表示装置の機能ブロック図である。
【図１１】図１１は、充電部についての説明図である。
【図１２】図１２は、電池収容部に乾電池が収容されていない状態を示す説明図である。
【図１３】図１３は、図１に示す表示装置の設置状態の斜視図である。
【図１４】図１４は、図１３に示す表示装置を脚部側から見た斜視図である。
【図１５】図１５は、電圧に基づいて発光部に供給する電力の制御をする際のフロー図である。
【発明を実施するための形態】
【００１６】
以下に、本発明に係る表示装置の実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００１７】
〔実施形態〕
図１は、実施形態に係る表示装置１の正面図である。図２は、図１のＡ−Ａ矢視図である。本実施形態に係る表示装置１は、略長方形の板状のパネル２を有しており、パネル２は、パネル２の外周形状とほぼ同形状の略長方形の形状で形成される枠状の部材である枠部３に取り付けられている。枠部３には、長方形の角部に相当する位置に、枠部３の強度の確保や表示装置１の接地時における枠部３の保護、パネル２と枠部３との取り付け性を確保するためのコーナーガード４が取り付けられている。コーナーガード４は、枠部３の角部の外側から枠部３に取り付けられると共に、一部が枠部３の内側に形成されてパネル２に取り付けられている。
【００１８】
枠部３に取り付けられるパネル２の一方の面には、パネル２の色とは異なる色の部材によって任意の形状で形成されることにより、所望の情報を表示する表示部５が設けられている。例えば、パネル２が白色である場合は、表示部５は赤色や青色等のパネル２に対して目立つ色で形成されており、表示部５には、再帰反射を行う反射材が用いられるのが好ましい。また、表示部５は、例えば、パネル２の形状である長方形の長手方向における一方向を向く矢印状の形状で形成されており、これにより、表示装置１を視認した歩行者や車両の運転者に対して、表示部５の形状である矢印の方向に進むことを知らせることが可能になっている。
【００１９】
このように形成される表示装置１には、自発光する発光部６が、複数設けられている。この発光部６は、例えば、ＬＥＤ（Ｌｉｇｈｔ  Ｅｍｉｔｔｉｎｇ  Ｄｉｏｄｅ）からなり、表示部５の形状に沿って、複数が表示部５上に配設されている。このため、これらの発光部６は、発光部６の点灯時には、複数の発光部６が表示部５の形状に沿った形状で点灯することができるようになっている。
【００２０】
図３は、図１のＢ−Ｂ矢視図である。図４は、図３のＣ−Ｃ矢視図である。表示装置１には、パネル２における表示部５が設けられている面の反対の面側に、脚部１０が配設されている。脚部１０は、略コの字状の形状で形成される部材である脚部本体部１１が、回動部１２を中心に回動自在に枠部３に取り付けられている。詳しくは、脚部本体部１１は、コの字における開口している側の幅が、パネル２や枠部３における、短手方向の幅と同程度の幅になっており、脚部本体部１１の開口側の両端が、回動部１２によって枠部３に取り付けられている。回動部１２は、パネル２等の短手方向に沿った向きの回動軸を中心として、枠部３に対して回動自在に、脚部本体部１１を枠部３に連結している。
【００２１】
回動部１２は、枠部３の長手方向における一端寄りの位置に配設されており、この回動部１２によって枠部３に連結される脚部本体部１１は、枠部３に沿った状態では、コの字の閉止側が、枠部３の長手方向における他端付近に位置する状態になる形状で形成されている。
【００２２】
また、脚部本体部１１には、コの字の開口側付近に、回動部１２の位置よりもコの字の閉止側が位置する方向の反対方向に延びる接地部部材１３が設けられている。つまり、接地部部材１３は、脚部本体部１１が枠部３に沿った状態では、脚部本体部１１から、枠部３の２つの短辺における回動部１２が近い側の短辺の方向に向かって形成されている。接地部部材１３は、脚部本体部１１の開口側における両端側に設けられており、接地部部材１３同士の幅は、枠部３の短手方向の長さよりも大きくなっている。このように設けられる接地部部材１３の先端には、接地部１４が配設されている。接地部１４は、ゴム部材等の弾力性を有する材料からなり、枠部３の短手方向における外側方向に突出する向きで、２箇所の接地部部材１３のそれぞれに設けられている。
【００２３】
また、表示装置１は、後述する太陽電池２５（図６参照）を備えるソーラーユニット２０を有しており、枠部３には、ソーラーユニット２０を取り付けるユニット取付金具１６が設けられている。ユニット取付金具１６は、枠部３の長手方向において脚部１０の回動部１２が位置する側の端部の反対側の端部寄りの位置に配設されている。また、ユニット取付金具１６は、枠部３の２つの長辺の双方に配設されており、共にソーラーユニット２０を着脱自在に取り付けることが可能になっている。
【００２４】
また、パネル２における表示部５が形成されている面の反対側の面には、電池ユニット５０が配設されている。電池ユニット５０は、発光部６の点滅モードの設定時等に入力操作を行ったり発光部６に供給する電力の電源の表示を行ったりする本体部５１と、後述する乾電池６８（図８参照）を収容する電池収容部６０とを有している。電池ユニット５０は、枠部３の長手方向における位置が、ユニット取付金具１６の位置に近い位置で、枠部３の短手方向における位置が、枠部３の同方向における中央付近の位置に配設されている。
【００２５】
ユニット取付金具１６に取り付けられるソーラーユニット２０と、電池ユニット５０とは、電流や電気信号を流すことができる電源コード５６によって接続されている。電池ユニット５０は、パネル２における表示部５が形成されている面の反対側の面に配設されるため、ソーラーユニット２０と電池ユニット５０を接続する電源コード５６も、パネル２における表示部５が形成されている面の反対側の面に位置している。また、電源コード５６は、ソーラーユニット２０側の部分と電池ユニット５０側の部分とが挿抜可能になっている。
【００２６】
図５は、図４に示すソーラーユニット２０の斜視図である。図６は、図５に示すソーラーユニット２０の透視図である。ソーラーユニット２０は、略直方体状の筐体２１を有しており、筐体２１の一部の面は、光を透過する部材からなる透明カバー２２になっている。ソーラーユニット２０は、筐体２１における透明カバー２２が位置する側の面の反対側の面側を、ユニット取付金具１６に取り付けることにより、ユニット取付金具１６に取り付けることが可能になっている。
【００２７】
筐体２１内には、光エネルギーを電力に変換する太陽電池２５と、太陽電池２５で変換した電力を蓄える蓄電部２６と、ソーラーユニット２０の電気的な制御を行う第１制御部４０と、が配設されている。太陽電池２５は、筐体２１内において、筐体２１の内側から透明カバー２２に対向する位置に配設されている。即ち、太陽電池２５は、ソーラーユニット２０の外部から透明カバー２２を透過して筐体２１内に進入した光を受光できる位置に配設されており、この受光した光によって、発電することが可能になっている。また、蓄電部２６は、太陽電池２５に電気的に接続されて筐体２１内に配設されており、発光部６に対して電力を供給し、発光部６を発光させるための電源として設けられている。このように設けられる蓄電部２６は、蓄電と放電とを繰り返して使用することができる二次電池になっている。
【００２８】
図７は、図５に示すソーラーユニット２０を、透明カバー２２側の反対側から見た状態の斜視図である。ソーラーユニット２０には、透明カバー２２が設けられている側の反対側の面に、操作部３０が設けられている。操作部３０は、発光部６の電源にソーラーユニット２０を用いるか否かの切替えを行う電源スイッチ３１と、蓄電部２６の蓄電状態について表示する蓄電状態表示部３２と、を有している。このうち、電源スイッチ３１は、蓄電部２６を発光部６の電源として使用し、蓄電部２６で蓄電した電力を、発光部６を発光させるための電力として用いるか否かを切り替えるためのスイッチになっている。本実施形態では、電源スイッチ３１は、押しボタン式のスイッチになっており、押すごとにソーラーユニット２０のＯＮとＯＦＦとが切り替わり、即ち、発光部６の電源にソーラーユニット２０を用いるか否かを切り替えることが可能になっている。
【００２９】
また、蓄電状態表示部３２は、蓄電部２６の電圧が所定値以上であるか否かを認識可能に表示することにより、蓄電部２６が所定値以上の蓄電量を蓄電しているか否かを表示する。この蓄電状態表示部３２は、蓄電部２６の電圧が所定値以上であることにより蓄電部２６が所定値以上の蓄電量を蓄電している場合に発光する残量良好時発光部３３と、蓄電部２６の電圧が所定値未満であることにより蓄電部２６の蓄電量が所定値未満である場合に発光する残量不足時発光部３４と、を有している。残量良好時発光部３３と残量不足時発光部３４とは、電源スイッチ３１を間に挟んで電源スイッチ３１の両側に配設されており、共にＬＥＤを有することにより、発光可能になっている。このうち、残量良好時発光部３３と残量不足時発光部３４とのうち、残量良好時発光部３３は、発光時に例えば青緑色に発光するＬＥＤにより構成され、残量不足時発光部３４は、発光時に赤色に発光するＬＥＤによって構成される。
【００３０】
また、ソーラーユニット２０に接続される電源コード５６は、ソーラーユニット２０における、透明カバー２２が設けられる面と操作部３０が設けられる面との間の側面に接続されている。
【００３１】
これらのように構成されるソーラーユニット２０は、操作部３０が設けられている側の面を、ユニット取付金具１６に対向させ、ユニット取付金具１６に接触させた状態で、取付部材１７によってユニット取付金具１６に取り付ける。その際に、ソーラーユニット２０は、操作部３０がユニット取付金具１６によって覆われない位置関係で、ユニット取付金具１６に取り付ける。取付部材１７は、取付部材１７とソーラーユニット２０とでユニット取付金具１６を挟んだ状態で、ソーラーユニット２０に螺合することにより、ソーラーユニット２０をユニット取付金具１６に取り付けることが可能になっている。
【００３２】
このように、ソーラーユニット２０を取り付けることができるユニット取付金具１６は、枠部３に対して回動自在に連結されている。詳しくは、ユニット取付金具１６は、枠部３の長手方向に延びる回動軸を中心として回動自在に、枠部３に連結されている。これにより、ユニット取付金具１６は、ソーラーユニット２０が取り付けられている際には、ソーラーユニット２０が、パネル２における電池ユニット５０が配設されている面側に位置する状態から、枠部３の外周面側に位置する状態にかけて、回動することが可能になっている。
【００３３】
つまり、例えば、枠部３の短手方向が上下方向になる向きで表示装置１を設置した場合において、上側に位置するユニット取付金具１６にソーラーユニット２０を取り付けた場合、ユニット取付金具１６は、パネル２における表示部５の反対側に位置する状態から、枠部３の上側に位置する状態にかけて回動可能になっている。
【００３４】
この場合におけるソーラーユニット２０の向きは、パネル２における表示部５の反対側に位置する状態では、透明カバー２２が位置する側の面がパネル２に対向し、操作部３０が、パネル２が位置する側の反対側を向く向きで、ユニット取付金具１６に取り付けられている。即ち、ソーラーユニット２０は、パネル２における表示部５の反対側に位置する状態においては、操作部３０が表面に位置する向きで、ユニット取付金具１６に取り付けられている。
【００３５】
ユニット取付金具１６は、パネル２における表示部５の反対側に位置する状態から、ユニット取付金具１６の回動軸を中心として上方に、約２７０°回動することにより、ソーラーユニット２０が、枠部３の上側に位置する状態になる。この状態でのソーラーユニット２０の向きは、操作部３０が下方に位置して下方を向き、透明カバー２２が上方に位置して上方を向く向きになる。ソーラーユニット２０は、このように枠部３の上側に位置する状態にすることができると共に、枠部３の上側に位置する状態では、透明カバー２２が上方を向く向きで配置できるため、表示装置１の上方側から照射されて透明カバー２２を透過する光を、太陽電池２５で受けることができる状態で配置可能になっている。
【００３６】
図８は、図５に示す電池ユニット５０の正面図である。電池ユニット５０は、本体部５１と電池収容部６０とより構成されている。このうち、本体部５１は、略直方体の形状で形成されて、パネル２に取り付けられている。本体部５１には、パネル２に取り付けられる側の面の反対側の面、即ち、パネル２に取り付けられた状態における表面側に操作部５２が設けられている。操作部５２は、発光部６の発光方式を切り替える切替スイッチ５３と、周囲の明るさに基づいて昼と夜を判別する昼夜判別部５４と、発光部６に供給する電力の電源が蓄電部２６に切り替えられているか、後述する乾電池６８に切り替えられているかを表示する電源表示部５５と、を有している。
【００３７】
このうち、切替スイッチ５３は、発光部６を発光させる際における発光方式の切り替え、及び発光部６の発光の停止の切り替えを行うためのスイッチになっている。この場合における発光方式の切り替えは、発光部６を発光させる際に、複数の発光部６を同時に点滅させるか、複数の発光部６を順次点灯させることによって流れるように点滅させるかの切り替えになっている。切替スイッチ５３は、電源スイッチ３１と同様に押しボタン式のスイッチになっており、押すごとに発光部６の発光方式、及び発光の停止を切り替えることが可能になっている。
【００３８】
また、昼夜判別部５４は、受光した光の照度を検出することのできる照度センサが用いられ、昼夜判別部５４に照射される光の照度、つまり、表示装置１の周囲の光の照度を検出することが可能になっている。
【００３９】
また、電源表示部５５は、互いに異なる複数の色で発光することのできるＬＥＤからなり、発光部６に供給する電力の電源が蓄電部２６に切り替えられている場合と乾電池６８に切り替えられている場合とで、異なる色で発光することが可能になっている。本実施形態では、電源表示部５５は、発光部６に供給する電力の電源が蓄電部２６に切り替えられている場合は青緑色で発光し、発光部６に供給する電力の電源が乾電池６８に切り替えられている場合は赤色で発光するＬＥＤが用いられている。
【００４０】
電池収容部６０は、本体部５１における、操作部５２が設けられている面とは異なる面に配設されており、本体部５１に対して着脱自在に設けられている。具体的には、電池収容部６０は、本体部５１における操作部５２が位置する面を正面とする場合の本体部５１の側面に対して着脱自在に設けられており、詳しくは、本体部５１における、枠部３の長手方向において脚部１０の回動部１２が位置する側の端部側に位置する側面に着脱自在に設けられている。本体部５１には、電池収容部６０が着脱される面に本体部側接続部５７が設けられており、電池収容部６０は、この本体部側接続部５７に対して着脱可能になっている。
【００４１】
電池収容部６０は、一端が閉塞し、他端が開口する有底の略円筒状の形状で形成されており、内部に一次電池である乾電池６８を収容することが可能になっている。このため、電池収容部６０は、内径が乾電池６８の外径よりも若干大きい程度の形状で形成されている。電池収容部６０は、例えば、透明な樹脂等の透明な材料からなり、乾電池６８を収容する透明電池フォルダとして設けられている。電池収容部６０は、透明な材料によって形成されているため、電池収容部６０の内部に乾電池６８を収容した際に、収容した乾電池６８を、電池収容部６０を透過して電池収容部６０の外部から視認できるようになっている。透明な材料によって形成される電池収容部６０は、無色透明で形成されていてもよく、有色透明で形成されていてもよい。また、電池収容部６０は、可視光線透過率が４０％以上であるのが好ましい。
【００４２】
本体部５１に設けられる本体部側接続部５７は、電池収容部６０の内径や外径と同程度の内径や外径を有する略円筒状の形状で形成されており、円筒の軸方向が、枠部３の長手方向に略平行になる向きで配設されている。このように形成される本体部側接続部５７に電池収容部６０が接続された際には、電池収容部６０と本体部側接続部５７とは、全体として略円柱状の形状となるように、電池収容部６０と本体部側接続部５７とは形成される。
【００４３】
なお、電池収容部６０が本体部側接続部５７に接続される際には、電池収容部６０の一部が本体部側接続部５７内に入り込むように接続されるため、本体部側接続部５７の内径や外径は、電池収容部６０の形状である円筒の内径や外径よりも若干大きくなっている。
【００４４】
また、電池収容部６０には、閉塞している側の内部に、電池収容部６０で収容する乾電池６８に対して付勢力を付与すると共に、乾電池６８に対して電気的に接続されるスプリング６３が配設されている。
【００４５】
パネル２には、電池収容部６０を本体部５１に取り付けた際における、電池収容部６０の閉塞している側の端部付近に、電池収容部６０を支持する支持部材６５が設けられている。電池収容部６０は、支持部材６５に対して係合可能になっており、開口側の端部を本体部側接続部５７に接続する際には、閉塞している側の端部を、弾力性を有する支持部材６５に係合させることにより、両端が本体部側接続部５７と支持部材６５とにより支持される。これにより、電池収容部６０は、本体部５１に対して安定して取り付けることが可能になっている。
【００４６】
また、本体部５１における、本体部側接続部５７が設けられる面の反対側の面には、電源コード５６における、ソーラーユニット２０に接続される側の端部の反対側に端部が接続されている。
【００４７】
図９は、図８に示す電池収容部６０の斜視図である。電池収容部６０には、開口側の端部に、本体部側接続部５７への接続部分である収容部側接続部６１が設けられている。収容部側接続部６１には、本体部側接続部５７の内周面に形成される突起（図示省略）と係合する係合溝６２が形成されている。電池収容部６０は、収容部側接続部６１を含めた全体が透明な部材により形成されており、本実施形態では、公称電圧が１．５Ｖの、いわゆる単１形の乾電池６８を２本、直列にして収容することが可能になっている。
【００４８】
図１０は、実施形態に係る表示装置１の機能ブロック図である。ソーラーユニット２０に内設される第１制御部４０は、ＣＰＵ（Ｃｅｎｔｒａｌ  Ｐｒｏｃｅｓｓｉｎｇ  Ｕｎｉｔ）等を有する処理部や、ＲＡＭ（Ｒａｎｄｏｍ  Ａｃｃｅｓｓ  Ｍｅｍｏｒｙ）等の記憶部を備える電子制御装置として構成されている。また、電池ユニット５０にも、本体部５１の内部に、ＣＰＵ等を有する処理部やＲＡＭ等の記憶部を備える電子制御装置として構成される第２制御部７０が配設されている。これらの第１制御部４０と第２制御部７０とは、ソーラーユニット２０と電池ユニット５０とに接続される電源コード５６によって接続され、電流や電気信号を互いに伝達することが可能になっている。表示装置１は、第１制御部４０と第２制御部７０とによって各部を制御することにより、発光部６の点滅制御を行ったり、発光部６に供給する電力の電源を切り替えたりすることが可能になっている。
【００４９】
ソーラーユニット２０が有する太陽電池２５と蓄電部２６とは、太陽電池２５に照射される太陽光等の光エネルギーを太陽電池２５によって電力に変換し、変換した電力を蓄電部２６で蓄える。詳しくは、太陽電池２５は第１制御部４０に接続されており、太陽電池２５によって光エネルギーから変換した電力は、第１制御部４０に伝達されて第１制御部４０から蓄電部２６に伝達される。即ち、太陽電池２５から蓄電部２６に対して供給される電力は、第１制御部４０を介して蓄電部２６に供給され、蓄電部２６は、第１制御部４０を介して太陽電池２５から供給された電力を蓄える。蓄電部２６で蓄えられた電力は、必要に応じて適宜第１制御部４０に供給される。
【００５０】
また、ソーラーユニット２０に配設される電源スイッチ３１と蓄電状態表示部３２と蓄電部２６とは、第１制御部４０に接続されている。電源スイッチ３１に対して入力操作が行われた際における信号は第１制御部４０で取得し、第１制御部４０は、電源スイッチ３１への入力操作に対する信号に基づいて、発光部６に供給する電力の電源として蓄電部２６を用いるか否かを切り替える。また、第１制御部４０は、蓄電部２６の電圧を検出し、検出した電圧に基づいて、蓄電状態表示部３２の残量良好時発光部３３または残量不足時発光部３４を発光させる。
【００５１】
ソーラーユニット２０には、これら以外に、外部電源８０から供給される電力を蓄電部２６に供給して蓄電部２６の充電を行う充電部３５が備えられている。充電部３５は、ＡＣアダプタ３７を介して外部電源８０に接続されることにより、外部電源８０から供給される電力を蓄電部２６に供給し、蓄電部２６に対して充電を行うことが可能になっている。詳しくは、充電部３５は第１制御部４０に接続されており、外部電源８０から供給される電力を、第１制御部４０を介して蓄電部２６に供給することができる。外部電源８０としては、例えば、１００Ｖの商用電源が用いられる。
【００５２】
図１１は、充電部３５についての説明図である。ソーラーユニット２０には、ソーラーユニット２０における、透明カバー２２が設けられる面と操作部３０が設けられる面との間の側面のうち、電源コード５６が接続される面の反対側に位置する側面に、ＡＣアダプタ３７が接続される外部電源接続部３６が設けられている。外部電源接続部３６は、充電部３５における、外部電源８０との接続部分になっており、外部電源８０の電力を充電部３５に供給する際における電力供給部になっている。充電部３５は、外部電源接続部３６にＡＣアダプタ３７を接続し、ＡＣアダプタ３７を外部電源８０に接続することにより、ＡＣアダプタ３７を介して外部電源８０に接続される。これにより、充電部３５は、外部電源８０から供給される電力を蓄電部２６に供給することが可能になっている。
【００５３】
電池ユニット５０は、乾電池６８を収容する電池収容部６０を有しているが、電池収容部６０に収容される乾電池６８が有する電力は、第２制御部７０に供給される。また、電池ユニット５０に配設される切替スイッチ５３と昼夜判別部５４と電源表示部５５とは、第２制御部７０に接続されている。切替スイッチ５３に対して入力操作が行われた際における信号は第２制御部７０で取得し、第２制御部７０は、切替スイッチ５３への入力操作に対する信号に基づいて、発光部６の発光方式及び発光の停止を切り替える。また、第２制御部７０は、昼夜判別部５４から入力される信号に基づいて、表示装置１の周囲の光の照度を検出する。
【００５４】
また、第２制御部７０は、発光部６に供給する電力を蓄電部２６から供給するか乾電池６８から供給するかに応じて、電源表示部５５を異なる色で発光させる。即ち、電源表示部５５は、第２制御部７０から伝達される信号により、発光部６に供給する電力の電源が蓄電部２６に切り替えられている場合と乾電池６８に切り替えられている場合とで、異なる色で発光する。
【００５５】
電池ユニット５０には、これら以外に、電圧測定部７１と電源切替部７２と電流制御部７３とを有している。電圧測定部７１と電源切替部７２と電流制御部７３とは、それぞれ第１制御部４０や第２制御部７０のような電子制御装置、または電子回路によって構成されている。電圧測定部７１は、蓄電部２６から供給される電力の電圧や乾電池６８から供給される電力の電圧を取得して、これらの電圧の大きさを測定する。電圧測定部７１が、蓄電部２６の電圧を取得する際には、蓄電部２６から第１制御部４０に供給される電力の電圧を、第２制御部７０と電源コード５６とを介して取得する。また、電圧測定部７１が乾電池６８の電圧を取得する際には、乾電池６８から第２制御部７０に供給される電力の電圧を、第２制御部７０を介して取得する。
【００５６】
また、電源切替部７２は、発光部６に供給する電力の電源を、蓄電部２６の電圧に基づいて蓄電部２６と乾電池６８とのいずれかに切り替える。即ち、電源切替部７２は、蓄電部２６の電圧が所定の閾値以上であるか否かの電圧測定部７１での判定に基づいて、発光部６に供給する電力の電源に蓄電部２６と乾電池６８とのいずれかを選択し、電源を蓄電部２６と乾電池６８とのいずれかに切り替える。詳しくは、電源切替部７２には、発光部６に供給する電力の電源を蓄電部２６と乾電池６８とのいずれかに切り替えるかの判定に用いる所定の閾値である電源判定値と電流判定値と終了判定値とが予め設定されて記憶されている。電源切替部７２には、電圧測定部７１で測定した蓄電部２６や乾電池６８の電圧と、電源判定値や電流判定値、終了判定値とを比較することにより、発光部６に供給する電力の電源を、蓄電部２６または乾電池６８に切り替える。
【００５７】
電源判定値と電流判定値と終了判定値とは、いずれも電圧に対する閾値になっており、電流判定値よりも電源判定値の方が大きく、終了判定値よりも電流判定値の方が大きい値になっている。電源判定値は、蓄電部２６を優先的に使用するために、蓄電部２６の電圧に対して設定される閾値になっている。また、電源判定値は、電源に蓄電部２６が使用されている際に用いる電源判定値と、電源に乾電池６８が使用されている際に用いる電源判定値とが設定されており、蓄電部２６の使用時に用いる電源判定値よりも、乾電池６８の使用時に用いる電源判定値の方が大きい値になっている。つまり、発光部６の電源に蓄電部２６が使用されることによって蓄電部２６の電圧が徐々に低下している状態での判定に用いる電源判定値よりも、発光部６の電源に乾電池６８が使用され、太陽電池２５で発電した電力が蓄電部２６に供給されることによって蓄電部２６の電圧が徐々に上昇している状態での判定に用いる電源判定値の方が、大きい値になっている。
【００５８】
また、電流判定値と終了判定値とは、発光部６を長時間発光させることを目的として乾電池６８の電圧に対して設定される閾値になっている。このうち、電流判定値は、乾電池６８に、発光部６に多くの電流を流して発光部６を高輝度で発光させるのに必要な電力が残っているか否かを、電圧に基づいて判断するための基準値になっている。また、終了判定値は、乾電池６８に、発光部６を発光させるだけの電力が残っているか否かを電圧に基づいて判断するための基準値になっている。このため、終了判定値は、電流判定値よりも低い値になっている。
【００５９】
電圧測定部７１で測定した乾電池６８の電圧が電流判定値以上である場合は、電源切替部７２は、発光部６に供給する電力の電源を乾電池６８に切り替え、乾電池６８の電圧が電流判定値より低い場合は、乾電池６８の電圧が終了判定値以上であるか否かに応じて、電源を乾電池６８または蓄電部２６に切り替える。詳しくは、電圧測定部７１での測定した乾電池６８の電圧が終了判定値以上である場合は、発光部６に供給する電力の電源を乾電池６８にして電流を低減し、乾電池６８の電圧が終了判定値未満である場合は、発光部６に供給する電力の電源を蓄電部２６にして電流を低減する。
【００６０】
また、電流制御部７３は、第２制御部７０と発光部６との間の電気経路に配設されており、発光部６に供給される電力の電流を調節することが可能になっている。つまり、電流制御部７３は、蓄電部２６から供給される電力や乾電池６８から供給される電力を第２制御部７０から受けて、電流を調節して発光部６側に流すことが可能になっている。また、電流制御部７３は、電圧測定部７１で測定した蓄電部２６の電圧や乾電池６８の電圧に応じて、発光部６側に流す電流を変化させることが可能になっている。詳しくは、電圧測定部７１で測定した蓄電部２６の電圧が電源判定値以上であったり、乾電池６８の電圧が電流判定値以上であったりする場合は、電流制御部７３は、発光部６側に流す電流を多くし、蓄電部２６の電圧が電源判定値未満で、且つ、乾電池６８の電圧が電流判定値未満である場合は、発光部６側に流す電流を低減させる。
【００６１】
パネル２の表示部５に配設される発光部６は、パネル２における表示部５側の面の反対側に配設される電池ユニット５０に接続されており、蓄電部２６からの電力や乾電池６８からの電力が、電流制御部７３を介して供給される。これにより、発光部６は、蓄電部２６から供給される電力または電池収容部６０に収容された乾電池６８から供給される電力によって発光することが可能になっている。
【００６２】
本実施形態に係る表示装置１は、以上のような構成からなり、以下、その作用について説明する。表示装置１を使用する際には、まず、ソーラーユニット２０に設けられている電源スイッチ３１を押してソーラーユニット２０の電源をＯＮにする。ソーラーユニット２０の電源がＯＮになると、蓄電部２６の現在の蓄電量に応じて、蓄電状態表示部３２の残量良好時発光部３３と残量不足時発光部３４とのいずれかが発光する。
【００６３】
つまり、蓄電状態表示部３２は、蓄電部２６の電圧が所定値以上である場合は、残量良好時発光部３３が発光し、蓄電部２６の電圧が所定値未満である場合は、残量不足時発光部３４が発光する。蓄電部２６の電圧は、第１制御部４０によって検出し、第１制御部４０によって検出した電圧と、蓄電部２６の蓄電量が十分であるか否かの基準となる、予め定められている所定値とを比較することにより、第１制御部４０は、残量良好時発光部３３と残量不足時発光部３４とのいずれかを発光させる。これにより、表示装置１の使用者は、ソーラーユニット２０の電源がＯＮになり、ソーラーユニット２０で発電することと、ソーラーユニット２０から発光部６に対して電力を供給することが可能になったことを蓄電状態表示部３２によって認識できると共に、蓄電部２６の現在の蓄電量を認識することができる。
【００６４】
残量不足時発光部３４が発光している場合、つまり、蓄電部２６の蓄電量が少ない場合は、ＡＣアダプタ３７を使用して、外部電源８０から供給される電力によって蓄電部２６に充電を行ってから表示装置１を使用してもよい。ＡＣアダプタ３７を使用して蓄電部２６に充電を行う際には、電源スイッチ３１を押してソーラーユニット２０をＯＦＦにした状態で行う。本実施形態に係る表示装置１では、蓄電状態表示部３２は、ＡＣアダプタ３７を用いて充電を行っている際の状態を示すことも可能になっている。本実施形態では、ＡＣアダプタ３７を用いて充電を行っている際に、蓄電部２６の充電が完了していない状態では残量不足時発光部３４が発光し、蓄電部２６の蓄電量が上限に達して蓄電部２６の充電が完了した際には、残量良好時発光部３３が発光する。
【００６５】
表示装置１は、このようにＡＣアダプタ３７を用いて蓄電部２６を行っている最中でも、乾電池６８から供給される電力によって発光部６を発光させることができる。このため、蓄電部２６の蓄電量が少ないことにより蓄電部２６の充電を行う場合でも、発光部６を発光させることができる機能は確保される。
【００６６】
表示装置１を使用する際には、さらに、電池ユニット５０の切替スイッチ５３を押して、発光部６の発光方式、及び発光の停止を切り替える。切替スイッチ５３は、押すごとに、複数の発光部６を同時に点滅させる発光方式である点滅方式、複数の発光部６を順次点灯させることによって流れるように点滅させる発光方式である流動方式、発光部６の発光を停止する、の順に切り替えることができる。このうち、流動方式は、表示部５の形状である矢印が向いている方向に流れるように、複数の発光部６を順次点滅させることができる発光方式になっている。
【００６７】
また、電池ユニット５０が有する電池収容部６０は、透明な部材で形成されているため、表示装置１の使用時には、使用者は電池収容部６０を外部から視認することによって、電池収容部６０内に乾電池６８が収容されていることを確認する。図１２は、電池収容部６０に乾電池６８が収容されていない状態を示す説明図である。電池収容部６０は、透明な部材で形成されているため、電池収容部６０に乾電池６８が収容されていない場合には、図１２に示すように、電池収容部６０を外部から視認するのみで、電池収容部６０に乾電池６８が収容されていないことを認識できるようになっている。つまり、電池収容部６０に乾電池６８が収容されている場合には、電池収容部６０に収容されている乾電池６８は、電池収容部６０を外部から視認するのみで、電池収容部６０を透過して認識することができる（図８参照）。即ち、電池収容部６０は、外部から視認することにより、乾電池６８が収容されているか否かを認識することができるため、乾電池６８が収容されていない場合には、電池収容部６０に乾電池６８を収容する。
【００６８】
図１３は、図１に示す表示装置１の設置状態の斜視図である。図１４は、図１３に示す表示装置１を脚部１０側から見た斜視図である。表示装置１は、工事を行っている箇所であることを示したい場所等の任意の場所に設置することによって使用する。表示装置１を設置する際には、脚部本体部１１がパネル２から離れる方向に、回動部１２を中心として回動させることにより、脚部１０を引き出して起立させる。これにより、脚部１０は、脚部本体部１１の形状であるコの字の閉止側が、パネル２から離れた状態になる。また、この状態では、脚部１０の接地部部材１３は、接地部１４が配設される側の端部側が、パネル２における表示部５が向いている方向に突出する状態になる。
【００６９】
表示装置１は、この状態で、枠部３の短手方向の一端側が下方になる向きで、任意の場所に配置する。これにより、表示装置１は、脚部１０が有する接地部１４と、脚部本体部１１におけるコの字の閉止側の端部と、枠部３の四隅に取り付けられるコーナーガード４のうち、下面側に位置するコーナーガード４が接地して配置される。その際に、ソーラーユニット２０は、２つのユニット取付金具１６のうち、表示装置１の配置時における上側に位置するユニット取付金具１６に取り付け、ソーラーユニット２０が取り付けられたユニット取付金具１６は、上方側に回動させる。これにより、ソーラーユニット２０を、枠部３の上方に位置させる。表示装置１は、このようにソーラーユニット２０を、パネル２の上端側に位置させた状態で設置する。
【００７０】
なお、図１３では、表示部５が設けられる面側から表示装置１を見た場合に、表示部５の形状である矢印が右方向を向くように、表示装置１を設置する場合の形態について説明しているが、表示装置１は、矢印が左方向を向くように設置してもよい。表示部５の形状である矢印が、左方向を向くように表示装置１を設置する場合には、ソーラーユニット２０は、２つのユニット取付金具１６のうち、矢印が左方向を向く向きで表示装置１を設置した際に上側に位置するユニット取付金具１６に取り付ける。ソーラーユニット２０が取り付けられたユニット取付金具１６は、この状態で上方側に回動させることにより、ソーラーユニット２０を、枠部３の上方に位置させる。これにより表示装置１は、表示部５の形状である矢印が左方向を向くように設置する場合でも、ソーラーユニット２０を、パネル２の上端側に位置させて設置することができる。
【００７１】
表示装置１を使用する際には、これらのように脚部１０を起立させて、表示装置１の配置時における上端側にソーラーユニット２０を位置させた状態で、任意の位置に配置する。これにより、ソーラーユニット２０には、透明カバー２２が上方を向く向きになるため、日中は、ソーラーユニット２０に照射される太陽光が透明カバー２２を透過し、ソーラーユニット２０に内設される太陽電池２５に照射される。太陽電池２５は、この太陽光を用いて発電し、太陽電池２５で発電した電力は、第１制御部４０を介して蓄電部２６に供給されて蓄電部２６で蓄電される。
【００７２】
発光部６は、受光した光の照度を検出する昼夜判別部５４によって、発光させるか否かが切り替えられる。即ち、第２制御部７０は、昼夜判別部５４で受光した光の照度に基づいて発光部６を発光させるか否かを切り替える。具体的には、第２制御部７０には、発光部６を発光させるか否かの判定に用いる照度の閾値が予め設定されて記憶されており、昼夜判別部５４で検出した光の照度が、この閾値以上である場合には発光部６を発光させず、昼夜判別部５４で検出した光の照度が、この閾値未満である場合には発光部６を発光させる。
【００７３】
このため、表示装置１を日中の明るい時間に使用することにより、昼夜判別部５４で受光した光の照度が、発光部６を発光させるか否かの判定に用いる照度の閾値以上である場合には、第２制御部７０は、発光部６を発光させない。つまり、第２制御部７０は、日中等、表示装置１の周囲が明るい環境では、蓄電部２６の電力や乾電池６８の電力を、発光部６側に供給しない。
【００７４】
一方、表示装置１を夜間等の暗い時間に使用することにより、昼夜判別部５４で受光した光の照度が、発光部６を発光させるか否かの判定に用いる照度の閾値未満である場合には、第２制御部７０は、発光部６を発光させる。つまり、第２制御部７０は、夜間等、表示装置１の周囲が暗い環境になったら、蓄電部２６の電力や乾電池６８の電力を、電流制御部７３を介して発光部６に供給する。
【００７５】
その際に、第２制御部７０は、蓄電部２６の電圧や乾電池６８の電圧に基づいて、蓄電部２６の電力、または乾電池６８の電力の一方を、電流制御部７３を介して発光部６に供給する。図１５は、電圧に基づいて発光部６に供給する電力の制御をする際のフロー図である。発光部６を発光させる際には、まず、蓄電部２６の電圧を測定する（ステップＳＴ１１）。蓄電部２６の電圧は、第１制御部４０と第２制御部７０とを介して電圧測定部７１で取得し、電圧測定部７１によって蓄電部２６の電力の電圧の大きさを測定する。
【００７６】
次に、現在の電源は蓄電部２６であるか否かを判定する（ステップＳＴ１２）。この判定は、電池ユニット５０の電源切替部７２で行う。電源切替部７２は、現在、発光部６に供給する電力の電源に、蓄電部２６が用いられているか否かを判定する。
【００７７】
この判定により、現在の電源は蓄電部２６であると判定された場合（ステップＳＴ１２、Ｙｅｓ判定）は、電源切替部７２は、後述ステップＳＴ１５での判定に用いる電源判定値に、蓄電部２６の使用時の電源判定値を用いる（ステップＳＴ１３）。つまり、発光部６に電力を供給する電源の判定に用いる電源判定値として、発光部６の電源に蓄電部２６が使用されている場合における電源判定値と、発光部６の電源に乾電池６８が使用されている場合における電源判定値とが予め設定されているため、現在の電源は蓄電部２６であると判定された場合は、電源判定値には、蓄電部２６の使用時における電源判定値を用いる。
【００７８】
これに対し、現在の電源は蓄電部２６ではないと判定された場合（ステップＳＴ１２、Ｎｏ判定）、即ち、現在の電源は乾電池６８であると判定された場合は、電源切替部７２は、後述ステップＳＴ１５での判定に用いる電源判定値に、乾電池６８の使用時における電源判定値を用いる（ステップＳＴ１４）。発光部６の電源に乾電池６８が使用されている場合における電源判定値は、発光部６の電源に蓄電部２６が使用されている場合における電源判定値よりも値が大きくなっている。
【００７９】
次に、蓄電部２６の電圧が電源判定値以上であるか否かを判定する（ステップＳＴ１５）。この判定は、電池ユニット５０の電源切替部７２で行う。電源切替部７２は、ステップ１３またはステップ１４で定められた電源判定値と、電圧測定部７１で取得した蓄電部２６の電力の電圧とを比較することにより、蓄電部２６の電圧が電源判定値以上であるか否かを判定する。
【００８０】
電源切替部７２での判定により、蓄電部２６の電圧が電源判定値以上であると判定された場合（ステップＳＴ１５、Ｙｅｓ判定）には、発光部６の電源に蓄電部２６を選択し、電源表示部５５の発光を蓄電部２６の使用時の発光にする（ステップＳＴ１６）。つまり、発光部６を発光させるための電力の電源に蓄電部２６が使用されていた場合は、蓄電部２６を継続して電源をとして使用し、発光部６を発光させるための電力の電源に乾電池６８が使用されていた場合は、電源切替部７２によって電源を蓄電部２６に切り替える。また、電源に蓄電部２６を使用する際には、第２制御部７０から電源表示部５５に対して、蓄電部２６を電源として使用する際における色で電源表示部５５を発光させる信号を送信し、蓄電部２６の使用時の色で電源表示部５５を発光させる。
【００８１】
また、蓄電部２６の電圧が電源判定値以上であると判定された場合（ステップＳＴ１５、Ｙｅｓ判定）は、蓄電部２６から電流を多く流して発光部６に対して電力を供給する（ステップＳＴ１７）。即ち、発光部６に供給する電力の電流を電流制御部７３で制御し、蓄電部２６の電力を、電流を多くして発光部６に供給する。これにより、発光部６は、切替スイッチ５３で切り替えた点滅方式で、高輝度で点滅する。
【００８２】
これに対し、電源切替部７２での判定により、蓄電部２６の電圧が電源判定値未満であると判定された場合（ステップＳＴ１５、Ｎｏ判定）には、乾電池６８の電圧を測定する（ステップＳＴ１８）。乾電池６８の電圧は、第２制御部７０を介して電圧測定部７１で取得し、電圧測定部７１によって乾電池６８の電力の電圧の大きさを測定する。
【００８３】
乾電池６８の電圧を測定したら、次に、測定した乾電池６８の電圧が電流判定値以上であるか否かを判定する（ステップＳＴ１９）。この判定は、電池ユニット５０の電源切替部７２で行う。電源切替部７２は、発光部６に供給する電力の電流を低減するか否かの判定に用いる閾値として予め設定されている電流判定値と、電圧測定部７１で取得した乾電池６８の電力の電圧とを比較することにより、乾電池６８の電圧が電流判定値以上であるか否かを判定する。
【００８４】
電源切替部７２での判定により、乾電池６８の電圧が電流判定値以上であると判定された場合（ステップＳＴ１９、Ｙｅｓ判定）には、発光部６の電源に乾電池６８を選択し、電源表示部５５の発光を乾電池６８の使用時の発光にする（ステップＳＴ２０）。つまり、発光部６を発光させるための電力の電源に乾電池６８が使用されていた場合は、乾電池６８を継続して電源をとして使用し、発光部６を発光させるための電力の電源に蓄電部２６が使用されていた場合は、電源切替部７２によって電源を乾電池６８に切り替える。また、電源に乾電池６８を使用する際には、第２制御部７０から電源表示部５５に対して、乾電池６８を電源として使用する際における色で電源表示部５５を発光させる信号を送信し、乾電池６８の使用時の色で電源表示部５５を発光させる。
【００８５】
蓄電部２６の電圧が電源判定値未満であると判定され（ステップＳＴ１５、Ｎｏ判定）、且つ、乾電池６８の電圧が電流判定値以上であると判定された場合（ステップＳＴ１９、Ｙｅｓ判定）は、乾電池６８から電流を多く流して発光部６に対して電力を供給する（ステップＳＴ２１）。即ち、発光部６に供給する電力の電流を電流制御部７３で制御し、乾電池６８の電力を、電流を多くして発光部６に供給する。これにより、発光部６は、切替スイッチ５３で切り替えた点滅方式で、高輝度で点滅する。
【００８６】
これに対し、電源切替部７２での判定により、乾電池６８の電圧が電流判定値未満であると判定された場合（ステップＳＴ１９、Ｎｏ判定）には、乾電池６８の電圧が終了判定値以上であるか否かを電源切替部７２で判定する（ステップＳＴ２２）。電源切替部７２は、電圧測定部７１で取得した乾電池６８の電力の電圧と終了判定値とを比較することにより、乾電池６８の電圧が終了判定値以上であるか否かを判定する。即ち、電源切替部７２は、乾電池６８の電圧が終了判定値以上であるか否かを判定することにより、乾電池６８が使用限界に達したか否かを判定する。
【００８７】
電源切替部７２での判定により、乾電池６８の電圧が終了判定値以上であると判定された場合（ステップＳＴ２２、Ｙｅｓ判定）には、電源切替部７２は、発光部６の電源に乾電池６８を選択し、第２制御部７０によって、電源表示部５５の発光を乾電池６８の使用時の発光にする（ステップＳＴ２３）。
【００８８】
発光部６の電源に乾電池６８が選択されたら、乾電池６８から電流を低減して発光部６に対して電力を供給する（ステップＳＴ２４）。即ち、発光部６に供給する電力の電流を電流制御部７３で制御し、乾電池６８の電圧が電流判定値以上であると判定（ステップＳＴ１９、Ｙｅｓ判定）された際に乾電池６８から発光部６に供給する電力の電流（ステップＳＴ２１）よりも電流を低減して、乾電池６８から発光部６に電力を供給する。これにより、発光部６は、切替スイッチ５３で切り替えた点滅方式で、低輝度で点滅する。
【００８９】
これに対し、電源切替部７２での判定により、乾電池６８の電圧が終了判定値未満であると判定された場合（ステップＳＴ２２、Ｎｏ判定）には、電源切替部７２は、発光部６の電源に蓄電部２６を選択し、第２制御部７０によって、電源表示部５５の発光を蓄電部２６の使用時の発光にする（ステップＳＴ２５）。
【００９０】
発光部６の電源に蓄電部２６が選択されたら、蓄電部２６から電流を低減して発光部６に対して電力を供給する（ステップＳＴ２６）。即ち、発光部６に供給する電力の電流を電流制御部７３で制御し、蓄電部２６の電圧が電源判定値以上であると判定（ステップＳＴ１５、Ｙｅｓ判定）された際に蓄電部２６から発光部６に供給する電力の電流（ステップＳＴ１７）よりも電流を低減して、蓄電部２６から発光部６に電力を供給する。これにより、発光部６は、切替スイッチ５３で切り替えた点滅方式で、低輝度で点滅する。
【００９１】
発光部６を発光させる際には、蓄電部２６の電圧を電源判定値と比較したり、乾電池６８の電力を電流判定値や終了判定値と比較したりしながら、これらの制御を繰り返し行う。その際に、ソーラーユニット２０は、太陽電池２５で光エネルギーを継続的に電力に切り替えて蓄電部２６で電力を蓄える。このため、発光部６を発光させるための電源に乾電池６８が選択された後でも、蓄電部２６の蓄電量が増加して電圧が電源判定値以上になったら、発光部６の電源を蓄電部２６に切り替える。
【００９２】
発光部６を発光させる際には、これらのように蓄電部２６や乾電池６８に基づいて電源を切り替えて発光部６を発光させると共に、電力を供給する際の電流を、電源の電圧に基づいて切り替えることにより、発光部６を発光させる際の輝度を高輝度または低輝度に切り替えて発光させる。つまり、電流制御部７３は、蓄電部２６の電圧が、蓄電部２６の電圧に対して設定された閾値である電源判定値より低く、且つ、乾電池６８の電圧が、乾電池６８の電圧に対して設定された閾値である電流判定値より低い場合は、蓄電部２６の電圧と乾電池６８の電圧との少なくともいずれか一方が、それぞれに対して設定された電源判定値または電流判定値閾値以上である場合と比較して、発光部６に供給される電力の電流を低減する。これにより、蓄電部２６の電圧が電源判定値以上である場合、または乾電池６８の電圧が電流判定値閾値以上である場合と比較して、発光部６の発光時の輝度を低下させる。
【００９３】
表示装置１の使用を終了する際には、電池ユニット５０の切替スイッチ５３を押して、発光部６の発光を停止させる。即ち、発光部６を消灯させる。また、ソーラーユニット２０の電源スイッチ３１を押してソーラーユニット２０をＯＦＦにする。これにより、太陽電池２５での発電を停止させると共に、蓄電状態表示部３２を消灯させる。
【００９４】
なお、上述した表示装置１の使用方法では、発光部６の電源に蓄電部２６と乾電池６８との双方を使用し、電源を適宜切り替えて発光部６を発光させる方法を説明したが、本実施形態に係る表示装置１は、発光部６の電源として、いずれか一方のみを使用することもできる。
【００９５】
例えば、発光部６の電源として蓄電部２６のみを用いる場合は、電池ユニット５０の電池収容部６０に乾電池６８を収容せずに使用する。電池収容部６０は透明な部材により形成されているため、電池収容部６０に乾電池６８を収容せずに使用する場合でも、電池収容部６０に乾電池６８を収容されているか否かは、電池収容部６０を外部から視認することにより認識することができる。
【００９６】
反対に、発光部６の電源として乾電池６８のみを用いる場合は、電源コード５６におけるソーラーユニット２０側と電池ユニット５０側とを分離させるか、電源スイッチ３１によってソーラーユニット２０をＯＦＦにする。電源コード５６におけるソーラーユニット２０側と電池ユニット５０側とを分離させた際には、ソーラーユニット２０をユニット取付金具１６から取り外してもよい。
【００９７】
以上に実施形態に係る表示装置１は、発光部６は、太陽電池２５によって光エネルギーから変換された電力を蓄える蓄電部２６の電力と、乾電池６８の電力とが、蓄電部２６の電圧に基づいて適宜切り替えられて供給される。このため、太陽電池２５が光エネルギーを電力に変換させることができる状況を有する環境においては、発光部６は、太陽電池２５が変換した電力によって、長時間発光することができる。さらに、乾電池６８は、透明な部材により形成される電池収容部６０に収容されているため、電池収容部６０を視認することにより、電池収容部６０に乾電池６８が収容されているか否かを、容易に認識することができる。これにより、表示装置１を使用する際に、電池収容部６０に乾電池６８が収容されていない状態で使用することを回避することができる。このため、例えば、太陽電池２５が光エネルギーから変換する電力量よりも発光部６で使用する電力量の方が多いことにより、蓄電部２６の蓄電量が徐々に低下する状況においても、電池収容部６０への乾電池６８の入れ忘れを抑制できるため、蓄電部２６の蓄電量が低下した際に、発光部６に対してより確実に乾電池６８から電力を供給することができる。従って、蓄電部２６の蓄電量が低下した場合でも、発光部６を継続して発光させ続けることができる。この結果、発光部６を発光させることができない事態を回避することができる。
【００９８】
また、発光部６に供給する電力の電源が、蓄電部２６に切り替えられているか乾電池６８に切り替えられているかを表示する電源表示部５５を備えるため、表示装置１は、発光部６は現在、蓄電部２６と乾電池６８とのどちらの電力で発光しているかを容易に認識することができる。このため、電源表示部５５が、発光部６に供給する電力の電源が乾電池６８であることを示している場合、使用者は、蓄電部２６の蓄電量が少なくなっていることを認識することができる。また、乾電池６８を使用していることを示している状態が長時間に及ぶ場合は、乾電池６８の残りの電力が少なくなっていることを認識することができ、予め新たな乾電池６８を用意し、乾電池６８の電力が無くなったら、すぐに新しい乾電池６８に交換することができる。これにより、蓄電部２６と乾電池６８との両方の電力が無くなることにより、発光部６を発光させることができなくなることを抑制することができる。この結果、より確実に、発光部６を発光させることができない事態を回避することができる。
【００９９】
また、電源表示部５５は、発光部６に供給する電力の電源が蓄電部２６に切り替えられている場合と乾電池６８に切り替えられている場合とで異なる色で発光するため、現在の発光部６の電源が蓄電部２６であるか乾電池６８であるかを、より容易に認識することができる。これにより、乾電池６８を使用する状態が長時間に及ぶ場合でも、使用者はその状況をより確実に、容易に認識することができ、新たな乾電池６８を用意等の準備を、より確実に予め行うことができる。この結果、より確実に、発光部６を発光させることができない事態を回避することができる。
【０１００】
また、電源切替部７２は、蓄電部２６の電圧が電源判定値以上である場合は、発光部６に供給する電力の電源を蓄電部２６に切り替え、蓄電部２６の電圧が電源判定値より低い場合は、発光部６に供給する電力の電源を乾電池６８に切り替えるため、発光部６の電源に、優先的に蓄電部２６を使用することができる。また、蓄電部２６の電圧が電源判定値未満になって発光部６の電源を乾電池６８に切り替えた後でも、太陽電池２５で変換した電力を蓄電部２６で蓄えることにより、蓄電部２６の電圧が電源判定値以上になった場合には、発光部６の電源を再び蓄電部２６に切り替えることができる。これらにより、発光部６をより長時間発光させることができる。つまり、乾電池６８は、電力が低下したら交換する必要があるのに対し、蓄電部２６は、太陽電池２５によって光エネルギーから変換した電力を蓄えるため、電力が低下しても、太陽電池２５が多くの光を受光できる環境であれば、太陽電池２５によって変換して電力を蓄えることができる。このため、太陽電池２５が光エネルギーを電力に変換できる状況があれば、蓄電部２６は電力が無くなり難くなるので、発光部６の電源として優先的に蓄電部２６を使用することにより、発光部６をより継続的に発光させることができる。この結果、より確実に、発光部６を発光させることができない事態を回避することができる。
【０１０１】
また、電源判定値には、発光部６を発光させるための電源に蓄電部２６を使用している時に用いる電源判定値と、電源に乾電池６８を使用している時に用いる電源判定値とが設定されており、蓄電部２６を使用している時に用いる電源判定値よりも、乾電池６８を使用している時に用いる電源判定値の方が大きい値になっている。このため、太陽電池２５で発電した電力を蓄電部２６に蓄電しながら蓄電部２６や乾電池６８の電力によって発光部６を発光させている際に、蓄電部２６の電圧が電源判定値以上になったり電源判定値を下回ったりすることに起因して、発光部６の発光に用いる電源が頻繁に切り替わることを抑制することができる。つまり、電源判定値の値が１つの場合は、蓄電部２６で蓄電を行わせながら発光部６を発光させると、蓄電部２６の蓄電量が減って電圧が電源判定値未満になったら電源が乾電池６８に切り替わり、太陽電池２５から供給される電力によって蓄電部２６の蓄電量が増加して電圧が電源判定値以上になったら、電源がすぐに蓄電部２６に切り替わる。この状態で蓄電部２６の電圧が電源判定値未満になったら、電源がまた乾電池６８に切り替わる。電源判定値の値が１つの場合は、太陽電池２５から供給される電力を蓄電部２６で蓄電しながら発光部６を発光させると、蓄電部２６の電圧が電源判定値付近の大きさである時に、これらのように電源が蓄電部２６と乾電池６８との間で頻繁に切り替わることになる。
【０１０２】
これに対し、蓄電部２６を使用している時に用いる電源判定値よりも、乾電池６８を使用している時に用いる電源判定値の方が大きい値である場合は、電源が乾電池６８に切り替わった状態で蓄電部２６に蓄電が行われて蓄電部２６の電圧が徐々に高くなる状況でも、電源が蓄電部２６に切り替わり難くなる。これにより、発光部６の発光に用いる電源が頻繁に切り替わることを抑制することができる。この結果、発光部６の発光に用いる電源を電源切替部７２によって切り替える制御が煩雑になることを抑制することができる。
【０１０３】
また、電流制御部７３は、蓄電部２６の電圧が電源判定値より低く、且つ、乾電池６８の電圧が電流判定値より低い場合は、発光部６に供給される電力の電流を低減するため、蓄電部２６の電力と乾電池６８の電力との双方が少なくなってきた場合における電力消費量を低減することができる。これにより、発光部６を発光させることができる時間を、より長くすることができる。また、蓄電部２６の電力と乾電池６８の電力との双方が少なくなってきた場合には、発光部６に供給される電力の電流を低減するので、発光部６の輝度が低下することになる。このため、使用者は、輝度が低下した発光部６の発光状態を視認することにより、乾電池６８の電力が少なくなってきていることを認識することができ、新たな乾電池６８を用意等の準備を、より確実に予め行うことができる。この結果、発光部６を発光させることができる時間を長くすることができると共に、より確実に、発光部６を発光させることができない事態を回避することができる。
【０１０４】
また、蓄電部２６の電圧が所定値以上であるか否かを表示する蓄電状態表示部３２を備えるため、蓄電部２６の蓄電量が少なくなっていることを、より確実に容易に認識することができる。このため、使用者は、発光部６の発光に、乾電池６８の電力を多く使用する可能性が高いことを予め認識することができ、新たな乾電池６８を用意等の準備を、より確実に早めに行うことができる。この結果、より確実に、発光部６を発光させることができない事態を回避することができる。
【０１０５】
また、外部電源８０から供給される電力を蓄電部２６に供給して蓄電部２６の充電を行う充電部３５を備えるため、蓄電部２６の蓄電量が少なくなっている場合でも、充電部３５によって蓄電部２６に充電することにより、乾電池６８の電力を使用する機会を低減することができる。これにより、乾電池６８の交換の頻度を低減させることができる。また、トンネル内等の太陽光が遮られる場所での使用や、夜間での使用等、太陽電池２５が光エネルギーを電力に変換し難い状況で表示装置１を使用する場合に、充電部３５によって予め蓄電部２６に充電することにより、電力が十分に蓄えられた蓄電部２６の電力と、乾電池６８の電力とによって、発光部６をより長時間発光させることができる。この結果、発光部６をより長時間発光させることができると共に、乾電池６８の交換の頻度を低減させることができ、使い勝手を向上させることができる。
【０１０６】
また、発光部６を発光させるための電源として、乾電池６８の他に、受光した光を用いて太陽電池２５によって発電した電力を蓄える蓄電部２６を備えているため、日中は太陽電池２５で発電して、発電した電力を蓄電部２６で蓄電し、夜間は、蓄電部２６で蓄電した電力で発光部６を発光させることができる。これにより、発光部６を発光させる際における乾電池６８の電力の消費量を低減することができる。この結果、電力を使用する際におけるコストを低減することができ、低コストで表示装置１を作動させることができる。
【０１０７】
また、電池収容部６０が透明な部材により形成されているため、表示装置１を長期間使用しない場合に、電池収容部６０から乾電池６８を抜き忘れることを抑制することができる。これにより、電池収容部６０に乾電池６８を収容したまま表示装置１を長期間保管することに起因する乾電池６８の液漏れを抑制することができる。この結果、表示装置１の保管時における不具合を抑制することができる。
【０１０８】
また、発光部６の電源として、必要に応じて乾電池６８のみを用いることもできるため、毎朝乾電池６８を新品に交換する等、表示装置１の使用開始時に乾電池６８を入れ替えることにより、表示装置１を計画的に使用することができる。つまり、蓄電部２６の現在の蓄電量を正確に把握するのは困難であるが、乾電池６８は、新品に交換することにより、乾電池６８を用いて発光部６を発光させることのできる時間をある程度予測することができる。この結果、電源の電力が予想外のタイミングで無くなり、発光部６が、不用意に発光しなくなってしまうことを抑制することができる。
【０１０９】
また、ソーラーユニット２０は、枠部３に対して回動自在に連結されるユニット取付金具１６に取り付けられるため、ユニット取付金具１６に取り付けたまま、枠部３の上側の位置と、パネル２における表示部５が設けられる面の反対側の面との間を移動させることができる。これにより、ソーラーユニット２０は、表示装置１の使用時と保管時とで着脱することなく、ユニット取付金具１６に取り付けたまま、太陽電池２５で効率よく光を受光して発電できる位置と、ソーラーユニット２０が嵩張らないようにすることができる位置との間を移動させることができる。これにより、表示装置１の設置時や撤去時の作業工程を低減させることができ、表示装置１の設置時の作業時間や撤去時の作業時間を短縮させることができる。この結果、表示装置１の使い勝手を向上させることができる。
【０１１０】
〔変形例〕
なお、上述した実施形態に係る表示装置１では、電池ユニット５０の電池収容部６０は、全体が透明な部材により形成されているが、電池収容部６０は、全体が透明に形成されていなくてもよい。電池収容部６０は、例えば、電池収容部６０を本体部５１に取り付けた際に、パネル２が位置する側の反対側、即ち、電池収容部６０における使用者が視認することができる側に、電池収容部６０の内部を視認することができる透明な窓が形成されていてもよい。電池収容部６０は、乾電池６８を収容すると共に、収容した乾電池６８を覆う部分の少なくとも一部が透明な部材により形成されていればよい。
【０１１１】
また、上述した実施形態では、電池収容部６０には、単１形の乾電池６８を２本収容するものとして説明しているが、電池収容部６０に収容する電池は、単１形以外の乾電池６８でもよく、本数も２本以外でもよい。電池収容部６０に収容する乾電池６８の大きさや数は問わない。
【０１１２】
また、上述した実施形態では、電池収容部６０には、一次電池の乾電池６８を収容するものとして説明しているが、電池収容部６０に収容する電池は、二次電池の乾電池６８であってもよい。電池収容部６０に収容する電池に、二次電池の乾電池６８を用いることにより、乾電池６８の電力が無くなった場合でも、電池収容部６０から取り出して充電することにより、乾電池６８を充電することにより、乾電池６８を再利用することができる。これにより、表示装置１の使用時におけるコストの低減を図ることができる。
【０１１３】
また、上述した実施形態では、発光部６や蓄電状態表示部３２、電源表示部５５には、光源としてＬＥＤが用いられているが、これらの光源にはＬＥＤ以外が用いられてもよい。発光部６や蓄電状態表示部３２、電源表示部５５は、所望の光量や発光時の色を確保することができれば、光源は問わない。
【０１１４】
また、上述した実施形態では、昼夜判別部５４には照度センサが用いられているが、昼夜判別部５４には照度センサ以外が用いられてもよい。昼夜判別部５４は、例えば、太陽電池２５を昼夜判別部５４として併用してもよい。つまり、太陽電池２５は、受光した光の光エネルギーを電力に変換するため、受光した光の光量に応じて、太陽電池２５から出力する電力の電圧が変化する。このため、太陽電池２５で変換した電力の電圧を検出することにより、表示装置１の周囲の明るさを判断するようにしてもよい。
【０１１５】
また、上述した実施形態に係る表示装置１は、矢印状の表示部５を有する表示装置１を用いて説明しているが、表示装置１は、これ以外の形態で形成されていてもよい。表示装置１は、例えば、発光部６の点灯時に他の図形や任意の文字を表示するものであってもよい。発光部６の点灯時に矢印以外の図形や文字を表示するものである場合でも、表示装置１を視認する歩行者や車両の運転者に対して工事箇所等についての注意喚起を行うことができ、任意の情報を効果的に伝達することができる。
【０１１６】
また、上述した実施形態に係る表示装置１では、発光部６の発光方式の切り替えは、複数の発光部６を同時に点滅させるか、複数の発光部６を流れるように点滅させるかの切り替えのみになっているが、発光部６の発光方式の切り替えは、これ以外の切り替えを行うことができるようになっていてもよい。発光部６の発光方式の切り替えは、例えば、発光部６の点滅時の間隔や、複数の発光部６を流れるように点滅させる際における流れの速さを調整できるようになっていてもよい。発光部６の発光方式は、表示装置１を視認する歩行者や車両の運転者に対して、効果的に注意喚起を行うことができる方式であれば、その方式は問わない。
【符号の説明】
【０１１７】
１  表示装置
２  パネル
３  枠部
５  表示部
６  発光部
１０  脚部
１６  ユニット取付金具
２０  ソーラーユニット
２５  太陽電池
２６  蓄電部
３０  操作部
３１  電源スイッチ
３２  蓄電状態表示部
３３  残量良好時発光部
３４  残量不足時発光部
３５  充電部
３７  ＡＣアダプタ
４０  第１制御部
５０  電池ユニット
５１  本体部
５２  操作部
５３  切替スイッチ
５４  昼夜判別部
５５  電源表示部
５６  電源コード
６０  電池収容部
６８  乾電池
７０  第２制御部
７１  電圧測定部
７２  電源切替部
７３  電流制御部
８０  外部電源
【図１】
2019027058.tif 000003
【図２】
2019027058.tif 000004
【図３】
2019027058.tif 000005
【図４】
2019027058.tif 000006
【図５】
2019027058.tif 000007
【図６】
2019027058.tif 000008
【図７】
2019027058.tif 000009
【図８】
2019027058.tif 000010
【図９】
2019027058.tif 000011
【図１０】
2019027058.tif 000012
【図１１】
2019027058.tif 000013
【図１２】
2019027058.tif 000014
【図１３】
2019027058.tif 000015
【図１４】
2019027058.tif 000016
【図１５】
2019027058.tif 000017
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
光エネルギーを電力に変換する太陽電池と、
前記太陽電池で変換した電力を蓄える蓄電部と、
電池を収容すると共に収容した前記電池を覆う部分の少なくとも一部が透明な部材により形成される電池収容部と、
前記蓄電部から供給される電力または前記電池収容部に収容された前記電池から供給される電力によって発光する発光部と、
前記発光部に供給する電力の電源を、前記蓄電部の電圧に基づいて前記蓄電部と前記電池とのいずれかに切り替える電源切替部と、
前記発光部に供給する電力の電源が、前記蓄電部に切り替えられているか前記電池に切り替えられているかを表示する電源表示部と、
を備え、
前記電源表示部は、前記発光部に供給する電力の電源が前記蓄電部に切り替えられている場合と前記電池に切り替えられている場合とで異なる色で発光することを特徴とする表示装置。
【請求項２】
前記発光部に供給される電力の電流を調節する電流制御部を備え、
前記電流制御部は、前記蓄電部の電圧が、前記蓄電部の電圧に対して設定された所定の閾値より低く、且つ、前記電池の電圧が、前記電池の電圧に対して設定された所定の閾値より低い場合は、前記蓄電部の電圧と前記電池の電圧との少なくともいずれか一方が、それぞれに対して設定された閾値以上である場合と比較して、前記発光部に供給される電力の電流を低減する請求項１に記載の表示装置。
【請求項３】
光エネルギーを電力に変換する太陽電池と、
前記太陽電池で変換した電力を蓄える蓄電部と、
電池を収容すると共に収容した前記電池を覆う部分の少なくとも一部が透明な部材により形成される電池収容部と、
前記蓄電部から供給される電力または前記電池収容部に収容された前記電池から供給される電力によって発光する発光部と、
前記発光部に供給する電力の電源を、前記蓄電部の電圧に基づいて前記蓄電部と前記電池とのいずれかに切り替える電源切替部と、
前記発光部に供給される電力の電流を調節する電流制御部と、
を備え、
前記電流制御部は、前記蓄電部の電圧が、前記蓄電部の電圧に対して設定された所定の閾値より低く、且つ、前記電池の電圧が、前記電池の電圧に対して設定された所定の閾値より低い場合は、前記蓄電部の電圧と前記電池の電圧との少なくともいずれか一方が、それぞれに対して設定された閾値以上である場合と比較して、前記発光部に供給される電力の電流を低減することを特徴とする表示装置。
【請求項４】
外部電源から供給される電力を前記蓄電部に供給して前記蓄電部の充電を行う充電部を備える請求項１〜３のいずれか１項に記載の表示装置。
【請求項５】
光エネルギーを電力に変換する太陽電池と、
前記太陽電池で変換した電力を蓄える蓄電部と、
電池を収容すると共に収容した前記電池を覆う部分の少なくとも一部が透明な部材により形成される電池収容部と、
前記蓄電部から供給される電力または前記電池収容部に収容された前記電池から供給される電力によって発光する発光部と、
前記発光部に供給する電力の電源を、前記蓄電部の電圧に基づいて前記蓄電部と前記電池とのいずれかに切り替える電源切替部と、
外部電源から供給される電力を前記蓄電部に供給して前記蓄電部の充電を行う充電部と、
を備えることを特徴とする表示装置。
【請求項６】
前記発光部に供給する電力の電源が、前記蓄電部に切り替えられているか前記電池に切り替えられているかを表示する電源表示部を備える請求項３〜５のいずれか１項に記載の表示装置。
【請求項７】
前記電源切替部は、前記蓄電部の電圧が所定の閾値以上である場合は、前記発光部に供給する電力の電源を前記蓄電部に切り替え、前記蓄電部の電圧が所定の閾値より低い場合は、前記発光部に供給する電力の電源を前記電池に切り替える請求項１〜６のいずれか１項に記載の表示装置。
【請求項８】
前記蓄電部の電圧が所定値以上であるか否かを表示する蓄電状態表示部を備える請求項１〜７のいずれか１項に記載の表示装置。